(57)【特許請求の範囲】
【請求項１】
画像形成装置本体に対して着脱可能に設置されて、像担持体上の未転写トナーを除去するクリーニング部から排出された当該未転写トナーを廃トナーとして回収する廃トナー回収容器であって、
前記画像形成装置本体における上下方向が扁平な空間に対して水平方向を装着方向として挿入されて、廃トナーを貯留する箱状の廃トナー貯留部と、
前記廃トナー貯留部における前記装着方向の手前側の上方に形成されるとともに、前記空間に挿入されたときに前記クリーニング部から排出された廃トナーを前記廃トナー貯留部に向けて流入するための流入口と、
前記廃トナー貯留部の内部において前記流入口から流入されて前記流入口の下方に堆積された廃トナーを前記装着方向の手前側から奥側に向けて搬送する搬送部材と、
を備え、
前記搬送部材は、前記装着方向に直交する幅方向に延長するように存在して前記廃トナー貯留部内の底面と両側面とに近接するように形成されて、上方又は下方からみたときに幅方向両端部が前記装着方向の奥側に向けて突出するように凹状に形成された板状部材であって、前記装着方向に対して往復移動するように駆動され、
前記廃トナー貯留部は、
前記搬送部材に形成された雌ネジ部に螺合するとともに、前記装着方向の手前側と奥側とが支持された状態で前記装着方向に延設されて駆動モータによって回転駆動される送りネジと、
前記搬送部材の回転方向の姿勢を保持するためのガイド部材と、
を具備したことを特徴とする廃トナー回収容器。
【請求項２】
前記搬送部材は、前記装着方向の奥側に対向する面が曲面状に形成されたことを特徴とする請求項１に記載の廃トナー回収容器。
【請求項３】
前記搬送部材は、前記像担持体上で画像形成がおこなわれていないときにのみ駆動されることを特徴とする請求項１又は請求項２に記載の廃トナー回収容器。
【請求項４】
前記搬送部材は、前記像担持体上で画像形成をおこなうために消費されるトナーの量を直接的又は間接的に検知するトナー消費量検知手段の検知結果が所定値を超えるごとに、前記装着方向の手前側から奥側に向けて移動するように駆動制御されることを特徴とする請求項１〜請求項３のいずれかに記載の廃トナー回収容器。
【請求項５】
前記搬送部材を駆動するときに前記搬送部材にかかる負荷を直接的又は間接的に検知する負荷検知手段を備え、
前記搬送部材が前記装着方向の手前側から奥側に向けて移動している場合に、前記負荷検知手段によって検知された負荷が所定値以上になったときに、前記搬送部材が前記装着方向の奥側から手前側に向けて移動するように駆動制御されることを特徴とする請求項１〜請求項４のいずれかに記載の廃トナー回収容器。
【請求項６】
前記搬送部材は、前記廃トナー貯留部内の底面と両側面とのうち少なくとも一方に近接する部分が可撓性材料で形成されたことを特徴とする請求項１〜請求項５のいずれかに記載の廃トナー回収容器。
【請求項７】
前記搬送部材は、下端部が前記装着方向の奥側に向けて傾斜して突出するように形成されたことを特徴とする請求項１〜請求項６のいずれかに記載の廃トナー回収容器。
【請求項８】
請求項１〜請求項７のいずれかに記載の廃トナー回収容器が画像形成装置本体に対して着脱可能に設置されたことを特徴とする画像形成装置。
【発明の詳細な説明】
【技術分野】
【０００１】
この発明は、複写機、プリンタ、ファクシミリ、又は、それらの複合機等の画像形成装置と、そこに設置される廃トナー回収容器と、に関するものである。
【背景技術】
【０００２】
従来から、複写機、プリンタ等の画像形成装置において、転写工程がおこなわれた後に感光体ドラム、感光体ベルト、中間転写ベルト、中間転写ドラム等の像担持体上に残留する未転写トナーをクリーニング部で除去して、クリーニング部で回収された未転写トナーを廃トナーとしてクリーニング部から排出して廃トナー回収容器に回収する技術が知られている（例えば、特許文献１参照。）。
このような廃トナー回収容器は、容器内が回収された廃トナーで満杯になると（又は、満杯に近い状態になると）、画像形成装置本体から取出されて、空の容器と交換（メンテナンス）される。
【０００３】
特許文献１等には、廃トナー回収容器（廃トナー回収装置）における廃トナーの回収効率を高めるために、廃トナーを搬送する搬送スクリュ（搬送手段）を廃トナー貯留部に内設する技術が開示されている。
【発明の概要】
【発明が解決しようとする課題】
【０００４】
従来の廃トナー回収容器は、廃トナー回収容器における廃トナー貯留部の全体に廃トナーが満遍なく充填されずに、廃トナー回収容器のメンテナンスサイクルが早まってしまっていた。
具体的に、上述した特許文献１等の廃トナー回収容器は、搬送スクリュによって廃トナーを搬送することで容器内における廃トナーの回収効率をある程度高めているものの、容器内において搬送スクリュから遠く離れた位置にまで廃トナーを満遍なく充填するには限界があった。
特に、近年の画像形成装置は、廃トナー回収容器のメンテナンスサイクルを長期化するために、作像部、給紙部、定着部、用紙搬送部等の機能部を除くスペースを最大限に利用して、大容量の廃トナー回収容器を設置する場合が多く、上述した問題が無視できないものになっている。
【０００５】
この発明は、上述のような課題を解決するためになされたもので、大容量の容器内に廃トナーを全体的に満遍なく回収することができる、廃トナー回収容器、及び、画像形成装置を提供することにある。
【課題を解決するための手段】
【０００６】
この発明の請求項１記載の発明にかかる廃トナー回収容器は、画像形成装置本体に対して着脱可能に設置されて、像担持体上の未転写トナーを除去するクリーニング部から排出された当該未転写トナーを廃トナーとして回収する廃トナー回収容器であって、前記画像形成装置本体における上下方向が扁平な空間に対して水平方向を装着方向として挿入されて、廃トナーを貯留する箱状の廃トナー貯留部と、前記廃トナー貯留部における前記装着方向の手前側の上方に形成されるとともに、前記空間に挿入されたときに前記クリーニング部から排出された廃トナーを前記廃トナー貯留部に向けて流入するための流入口と、前記廃トナー貯留部の内部において前記流入口から流入されて前記流入口の下方に堆積された廃トナーを前記装着方向の手前側から奥側に向けて搬送する搬送部材と、を備え、前記搬送部材は、前記装着方向に直交する幅方向に延長するように存在して前記廃トナー貯留部内の底面と両側面とに近接するように形成されて、上方又は下方からみたときに幅方向両端部が前記装着方向の奥側に向けて突出するように凹状に形成された板状部材であって、前記装着方向に対して往復移動するように駆動され、前記廃トナー貯留部は、前記搬送部材に形成された雌ネジ部に螺合するとともに、前記装着方向の手前側と奥側とが支持された状態で前記装着方向に延設されて駆動モータによって回転駆動される送りネジと、前記搬送部材の回転方向の姿勢を保持するためのガイド部材と、を具備したものである。
【０００７】
また、請求項２記載の発明にかかる廃トナー回収容器は、前記請求項１に記載の発明において、前記搬送部材は、前記装着方向の奥側に対向する面が曲面状に形成されたものである。
【０００８】
また、請求項３記載の発明にかかる廃トナー回収容器は、前記請求項１又は請求項２に記載の発明において、前記搬送部材は、前記像担持体上で画像形成がおこなわれていないときにのみ駆動されるものである。
【０００９】
また、請求項４記載の発明にかかる廃トナー回収容器は、前記請求項１〜請求項３のいずれかに記載の発明において、前記搬送部材は、前記像担持体上で画像形成をおこなうために消費されるトナーの量を直接的又は間接的に検知するトナー消費量検知手段の検知結果が所定値を超えるごとに、前記装着方向の手前側から奥側に向けて移動するように駆動制御されるものである。
【００１０】
また、請求項５記載の発明にかかる廃トナー回収容器は、前記請求項１〜請求項４のいずれかに記載の発明において、前記搬送部材を駆動するときに前記搬送部材にかかる負荷を直接的又は間接的に検知する負荷検知手段を備え、前記搬送部材が前記装着方向の手前側から奥側に向けて移動している場合に、前記負荷検知手段によって検知された負荷が所定値以上になったときに、前記搬送部材が前記装着方向の奥側から手前側に向けて移動するように駆動制御されるものである。
【００１１】
また、請求項６記載の発明にかかる廃トナー回収容器は、前記請求項１〜請求項５のいずれかに記載の発明において、前記搬送部材は、前記廃トナー貯留部内の底面と両側面とのうち少なくとも一方に近接する部分が可撓性材料で形成されたものである。
【００１２】
また、請求項７記載の発明にかかる廃トナー回収容器は、前記請求項１〜請求項６のいずれかに記載の発明において、前記搬送部材は、下端部が前記装着方向の奥側に向けて傾斜して突出するように形成されたものである。
【００１３】
また、請求項８記載の発明にかかる画像形成装置は、請求項１〜請求項７のいずれかに記載の廃トナー回収容器が画像形成装置本体に対して着脱可能に設置されたものである。
【００１６】
なお、本願において、「プロセスカートリッジ」とは、像担持体を帯電する帯電部と、像担持体上に形成された潜像を現像する現像部（現像装置）と、像担持体上をクリーニングするクリーニング部（クリーニング装置）とのうち、少なくとも１つと、像担持体とが、一体化されて、画像形成装置本体に対して着脱自在に設置されるユニットと定義する。
【発明の効果】
【００１７】
本発明は、廃トナー貯留部の内部において流入口から流入されて堆積された廃トナーを奥行方向の一端側から他端側に向けて搬送する板状の搬送部材を、奥行方向に往復移動させているため、大容量の容器内に廃トナーが全体的に満遍なく回収される、廃トナー回収容器、及び、画像形成装置を提供することができる。
【図面の簡単な説明】
【００１８】
【図１】この発明の実施の形態における画像形成装置を示す全体構成図である。
【図２】作像部を示す構成図である。
【図３】廃トナー回収容器を奥行方向に示す構成図である。
【図４】廃トナー回収容器における、（Ａ）廃トナー流入部を示す上面図と、（Ｂ）廃トナー貯留部を示す上面図と、である。
【図５】廃トナー回収容器を幅方向に示す図である。
【図６】搬送部材の動作を示す図である。
【図７】別形態の搬送部材を示す上面図である。
【図８】別形態の廃トナー回収容器の廃トナー貯留部を示す上面図である。
【図９】さらに別形態の廃トナー回収容器を奥行方向に示す構成図である。
【発明を実施するための形態】
【００１９】
実施の形態．
以下、この発明を実施するための形態について、図面を参照して詳細に説明する。なお、各図中、同一又は相当する部分には同一の符号を付しており、その重複説明は適宜に簡略化ないし省略する。
【００２０】
まず、図１にて、画像形成装置全体の構成・動作について説明する。
本実施の形態における画像形成装置１は、複数の作像部としてのプロセスカートリッジ１０Ｙ、１０Ｍ、１０Ｃ、１０ＢＫが中間転写ベルト１７に対向するように並設されたタンデム型のカラー画像形成装置である。
【００２１】
図１において、１は画像形成装置としてのカラー複写機の装置本体、３は原稿を原稿読込部４に搬送する原稿搬送部、４は原稿の画像情報を読み込む原稿読込部、６は入力画像情報に基づいたレーザ光を発する書込み部（露光部）、７は転写紙等の記録媒体Ｐが収納される給紙部、１０Ｙ、１０Ｍ、１０Ｃ、１０ＢＫは各色（イエロー、マゼンタ、シアン、ブラック）に対応した作像部としてのプロセスカートリッジ、１７は複数色のトナー像が重ねて転写される中間転写ベルト（像担持体）、１８は中間転写ベルト１７上に形成されたトナー像を記録媒体Ｐに転写する２次転写ローラ、２０は記録媒体Ｐ上の未定着画像を定着する定着部、２８は各プロセスカートリッジ１０Ｙ、１０Ｍ、１０Ｃ、１０ＢＫの現像装置に各色のトナーを補給するためのトナー容器、３０は廃トナーが回収される廃トナー回収容器（廃トナー回収装置）、を示す。
【００２２】
ここで、各プロセスカートリッジ１０Ｙ、１０Ｍ、１０Ｃ、１０ＢＫ（作像部）は、それぞれ、像担持体としての感光体ドラム１１、帯電部１２、現像部１３（現像装置）、クリーニング部１５（クリーニング装置）が一体化されたものである（図２を参照できる。）。そして、各プロセスカートリッジ１０Ｙ、１０Ｍ、１０Ｃ、１０ＢＫは、寿命に達したときに、新品のものに交換される。
各プロセスカートリッジ１０Ｙ、１０Ｍ、１０Ｃ、１０ＢＫにおける感光体ドラム１１（像担持体）上では、それぞれ、各色（イエロー、マゼンタ、シアン、ブラック）のトナー像が形成される。
【００２３】
以下、画像形成装置における、通常のカラー画像形成時の動作について説明する。
まず、原稿は、原稿搬送部３の搬送ローラによって、原稿台から搬送されて、原稿読込部４のコンタクトガラス上に載置される。そして、原稿読込部４で、コンタクトガラス上に載置された原稿の画像情報が光学的に読み取られる。
詳しくは、原稿読込部４は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部（不図示である。）で色変換処理、色補正処理、空間周波数補正処理等の処理をおこない、イエロー、マゼンタ、シアン、ブラックのカラー画像情報を得る。
【００２４】
そして、イエロー、マゼンタ、シアン、ブラックの各色の画像情報は、書込み部６に送信される。そして、書込み部６からは、各色の画像情報に基づいたレーザ光（露光光）が、それぞれ、対応するプロセスカートリッジ１０Ｙ、１０Ｍ、１０Ｃ、１０ＢＫの感光体ドラム１１上に向けて照射される。
【００２５】
一方、４つの感光体ドラム１１は、それぞれ、図の時計方向に回転している。そして、図２を参照して、まず、感光体ドラム１１の表面は、帯電部１２（帯電ローラ）との対向位置で、一様に帯電される（帯電工程である。）。こうして、像担持体としての感光体ドラム１１上には、帯電電位が形成される。その後、帯電された感光体ドラム１１表面は、それぞれのレーザ光の照射位置に達する。
書込み部６において、光源から画像信号に対応したレーザ光が各色に対応して射出される。図示は省略するが、レーザ光は、ポリゴンミラーに入射して反射した後に、複数のレンズを透過する。複数のレンズを透過した後のレーザ光は、イエロー、マゼンタ、シアン、ブラックの色成分ごとに別の光路を通過することになる（露光工程である。）。
【００２６】
イエロー成分に対応したレーザ光は、紙面左側から１番目のプロセスカートリッジ１０Ｙの感光体ドラム１１表面に照射される。このとき、イエロー成分のレーザ光は、高速回転するポリゴンミラー（不図示である。）により、感光体ドラム１１の回転軸方向（主走査方向）に走査される。こうして、帯電ローラ１２ａにて帯電された後の感光体ドラム１１上には、イエロー成分に対応した静電潜像が形成される。
【００２７】
同様に、シアン成分のレーザ光は、紙面左から２番目のプロセスカートリッジ１０Ｃの感光体ドラム１１表面に照射されて、シアン成分の静電潜像が形成される。マゼンタ成分に対応したレーザ光は、紙面左から３番目のプロセスカートリッジ１０Ｍの感光体ドラム１１表面に照射されて、マゼンタ成分に対応した静電潜像が形成される。ブラック成分のレーザ光は、紙面左から４番目（中間転写ベルト１７の走行方向に対して最も下流側である。）のプロセスカートリッジ１０ＢＫ（黒色用作像部）の感光体ドラム１１表面に照射されて、ブラック成分の静電潜像が形成される。
【００２８】
その後、各色の静電潜像が形成された感光体ドラム１１表面は、それぞれ、現像部１３（図２を参照できる。）との対向位置に達する。そして、各現像部１３から感光体ドラム１１上に各色のトナーが供給されて、感光体ドラム１１上の潜像が現像される（現像工程である。）。
その後、現像工程後の感光体ドラム１１表面は、それぞれ、像担持体としての中間転写ベルト１７（中間転写体）との対向位置に達する。ここで、それぞれの対向位置には、中間転写ベルト１７の内周面に当接するように1次転写ローラ１４が設置されている。そして、１次転写ローラ１４の位置で、像担持体としての中間転写ベルト１７上に、感光体ドラム１１上に形成された各色のトナー像が、順次重ねて転写される（第１転写工程である。）。
【００２９】
そして、第１転写工程後の感光体ドラム１１表面は、それぞれ、クリーニング部１５（図２を参照できる。）との対向位置に達する。そして、クリーニング部１５で、感光体ドラム１１（像担持体）上に残存する未転写トナーが回収される（クリーニング工程である。）。
その後、感光体ドラム１１表面は、除電部（不図示である。）の位置を通過して、感光体ドラム１１における一連の作像プロセスが終了する。
【００３０】
他方、感光体ドラム１１上の各色の画像が重ねて転写された中間転写ベルト１７表面は、図中の矢印方向に走行して、２次転写ローラ１８の位置に達する。そして、２次転写ローラ１８の位置で、記録媒体Ｐ上に中間転写ベルト１７上のフルカラーの画像が２次転写される（第２転写工程である。）。
その後、中間転写ベルト１７表面は、中間転写ベルトクリーニング部９（クリーニング部）の位置に達する。そして、像担持体としての中間転写ベルト１７上の未転写トナーが中間転写ベルトクリーニング部９（クリーニング部）に回収されて、中間転写ベルト１７上の一連の転写プロセスが完了する。
【００３１】
ここで、２次転写ローラ１８位置の記録媒体Ｐは、給紙部７から搬送ガイド、レジストローラ１９等を経由して搬送されたものである。
詳しくは、記録媒体Ｐを収納する給紙部７から、給紙ローラ８により給送された転写紙Ｐが、搬送ガイドを通過した後に、レジストローラ１９に導かれる。レジストローラ１９に達した記録媒体Ｐは、中間転写ベルト１７上のトナー像とタイミングを合わせて、２次転写ローラ１８の位置に向けて搬送される。
【００３２】
その後、フルカラー画像が転写された記録媒体Ｐは、定着部２０に導かれる。定着部２０では、定着ローラと加圧ローラとのニップにて、カラー画像が記録媒体Ｐ上に定着される。
そして、定着工程後の記録媒体Ｐは、排紙ローラ２９によって装置本体１外に出力画像として排出された後に、排紙部５上にスタックされて、一連の画像形成プロセスが完了する。
【００３３】
次に、図２にて、画像形成装置の作像部について詳述する。
図２は、黒色用のプロセスカートリッジ１０ＢＫを示す構成図である。その他の３つのプロセスカートリッジ１０Ｙ、１０Ｍ、１０Ｃは、それぞれ、作像プロセスに用いられるトナーの色が異なる点を除き、黒色用のプロセスカートリッジ１０ＢＫとほぼ同じに構成されているため、その図示と説明とを省略する。
【００３４】
図２に示すように、プロセスカートリッジ１０ＢＫには、像担持体としての感光体ドラム１１と、感光体ドラム１１を帯電する帯電部１２と、感光体ドラム１１上に形成される静電潜像を現像する現像部１３と、感光体ドラム１１上の未転写トナーを回収するクリーニング部１５と、がケースに一体的に収納されている。
【００３５】
ここで、像担持体としての感光体ドラム１１は、負帯電性の有機感光体であって、ドラム状導電性支持体上に感光層等を設けたものである。図示は省略するが、感光体ドラム１１は、基層としての導電性支持体上に、絶縁層である下引き層、感光層としての電荷発生層及び電荷輸送層、保護層（表面層）が順次積層されている。
帯電部１２は、導電性芯金の外周に中抵抗の弾性層を被覆してなる帯電ローラである。そして、この帯電部１２（帯電ローラ）に不図示の電源部から所定の電圧が印加されて、これにより対向する感光体ドラム１１の表面を一様に帯電する。
【００３６】
現像部１３（現像装置）は、主として、感光体ドラム１１に対向する現像ローラ１３ａと、現像ローラ１３ａに対向する第１搬送スクリュ１３ｂ１と、仕切部材を介して第１搬送スクリュ１３ｂ１に対向する第２搬送スクリュ１３ｂ２と、現像ローラ１３ａに対向するドクターブレード１３ｃと、で構成される。現像ローラ１３ａは、内部に固設されてローラ周面に磁極を形成するマグネットと、マグネットの周囲を回転するスリーブと、で構成される。マグネットによって現像ローラ１３ａ（スリーブ）上に複数の磁極が形成されて、現像ローラ１３ａ上に現像剤が担持されることになる。
【００３７】
現像部１３内には、キャリアとトナーとからなる２成分現像剤が収容されている。本実施の形態において、トナーは、画質向上のために、小粒径で略球形のものを用いている。
具体的に、トナーは、円形度が０．９２以上になるように形成されたものである。「円形度」は、フロー式粒子像分析装置「ＦＰＩＡ−２０００」（東亜医用電子社製）により計測した平均円形度である。具体的には、容器中の予め不純固形物を除去した水１００〜１５０ｍｌ中に、分散剤として界面活性剤（好ましくは、アルキルベンゼンスルホン酸塩である。）を０．１〜０．５ｍｌ加えて、さらに測定試料（トナー）を０．１〜０．５ｇ程度加える。その後、このトナーが分散した懸濁液を、超音波分散器で約１〜３分間分散処理して、分散液濃度が３０００〜１００００個／μｌとなるようにしたものを上述の分析装置にセットして、トナーの形状及び分布を測定する。
また、トナーは、形状係数ＳＦ−１と形状係数ＳＦ−２とが、いずれも、１００〜１８０の範囲になるように形成されたものである。
また、トナーは、体積平均粒径（Ｄｖ）が３〜８μｍの範囲であって、体積平均粒径（Ｄｖ）と個数平均粒径（Ｄｎ）との比（Ｄｖ／Ｄｎ）が１．０５〜１．４０の範囲になるように形成されたものである。
さらに、トナーは、長軸と短軸との比（ｒ１／ｒ２）が０．５〜１．０の範囲であって、厚さと短軸との比（ｒ３／ｒ２）が０．７〜１．０の範囲であって、長軸ｒ１≧短軸ｒ２≧厚さｒ３の関係を満足するように形成されたものである。
このような小粒径・球形トナーは、窒素原子を含む官能基を有するポリエステルプレポリマー、ポリエステル、着色剤、離型剤を含むトナー組成物を、水系媒体中で樹脂微粒子が存在する状態で架橋又は／及び伸長反応させることで製造することができる。
【００３８】
図２を参照して、クリーニング部１５（クリーニング装置）には、感光体ドラム１１に当接するクリーニングブレード１５ａ、クリーニング部１５内に回収された未転写トナーを廃トナーとして廃トナー回収容器３０（図３を参照できる。）に向けて搬送する搬送コイル１５ｂ（搬送管１６）、等が設置されている。クリーニングブレード１５ａは、ウレタンゴム等のゴム材料からなり、感光体ドラム１１表面に所定角度かつ所定圧力で当接している。これにより、感光体ドラム１１上に付着する未転写トナー等の付着物が機械的に掻き取られてクリーニング部１５内に回収されることになる。そして、クリーニング部１５内に回収された未転写トナーは、搬送管１６（搬送コイル１５ｂが内設されている。）を介して、廃トナー回収容器３０まで搬送されて、廃トナーとして廃トナー回収容器３０の内部に回収される。
同様に、図１を参照して、クリーニング部としての中間転写ベルトクリーニング部９にも、中間転写ベルト１７に当接するクリーニングブレード、中間転写ベルトクリーニング部９内に回収された未転写トナーを廃トナーとして廃トナー回収容器３０（図３を参照できる。）に向けて搬送する搬送コイル（搬送管１６）、等が設置されている。そして、中間転写ベルトクリーニング部９内に回収された未転写トナーは、搬送管１６（搬送コイルが内設されている。）を介して、廃トナー回収容器３０まで搬送されて、廃トナーとして廃トナー回収容器３０の内部に回収される。なお、廃トナー回収容器３０の構成・動作については、後でさらに詳しく説明する。
なお、感光体ドラム１１や中間転写ベルト１７上に付着する付着物としては、未転写トナーの他に、記録媒体Ｐ（用紙）から生じる紙粉、帯電ローラ１２（帯電部）による放電時に感光体ドラム１１上に生じる放電生成物、トナーに添加されている添加剤、等があるが、本願ではこれらを総称して「未転写トナー」と呼ぶことにする。
【００３９】
図２にて、先に述べた作像プロセスをさらに詳しく説明する。
現像ローラ１３ａは、図２中の矢印方向（反時計方向）に回転している。現像部１３内の現像剤は、間に仕切部材を介在するように配設された第１搬送スクリュ１３ｂ１及び第２搬送スクリュ１３ｂ２の回転によって、不図示のトナー補給部によってトナー容器２８から補給されたトナーとともに撹拌混合されながら長手方向に循環する（図２の紙面垂直方向である。）。
【００４０】
そして、摩擦帯電してキャリアに吸着したトナーは、キャリアとともに現像ローラ１３ａ上に担持される。現像ローラ１３ａ上に担持された現像剤は、その後にドクターブレード１３ｃの位置に達する。そして、現像ローラ１３ａ上の現像剤は、ドクターブレード１３ｃの位置で適量に調整された後に、感光体ドラム１１との対向位置（現像領域である。）に達する。
【００４１】
その後、現像領域において、現像剤中のトナーが、感光体ドラム１１表面に形成された静電潜像に付着する。詳しくは、レーザ光Ｌが照射された画像部の潜像電位（露光電位）と、現像ローラ１３ａに印加された現像バイアスとの、電位差（現像ポテンシャル）によって形成される電界によって、トナーが潜像に付着する（トナー像が形成される）。
【００４２】
その後、現像工程にて感光体ドラム１１に付着したトナーは、そのほとんどが中間転写ベルト１７上に転写される。そして、感光体ドラム１１上に残存した未転写トナーが、クリーニングブレード１５ａによってクリーニング部１５内に回収される。
【００４３】
ここで、図示は省略するが、装置本体１に設けられたトナー補給部は、交換自在に構成されたボトル状のトナー容器２８と、トナー容器２８を保持・回転駆動するとともに現像部１３に新品トナーを補給するトナーホッパ部と、で構成されている。また、トナー容器２８内には、新品のトナー（イエロー、マゼンタ、シアン、ブラックのいずれかである。）が収容されている。また、トナー容器２８（トナーボトル）の内周面には、螺旋状の突起が形成されている。そして、トナー補給モータ７２（図３を参照できる。）によってトナー容器２８が回転駆動されることで、トナー容器２８から現像部１３に向けて新品トナーが補給されることになる。
【００４４】
なお、トナー容器２８内の新品トナーは、現像部１３内のトナー（既設のトナーである。）の消費にともない、トナー補給口から現像部１３内に適宜に補給されるものである。図示は省略するが、現像部１３内のトナーの消費は、感光体ドラム１１に対向する反射型フォトセンサと、現像部１３の第２搬送スクリュ２３ｂ２の下方に設置された磁気センサと、によって間接的又は直接的に検知される。そして、現像部１３内で消費されたトナー量を補充するように、トナー補給モータ７２（図３を参照できる。）によるトナー容器２８の駆動によって、トナー容器２８から現像部１３に向けて新品トナーが補給されることになる。このとき、制御部７０の演算部では、トナー補給モータ７２の駆動時間から現像部１３へのトナー補給量が算出される。
すなわち、このときの制御部７０は、感光体ドラム１１（像担持体）上で画像形成をおこなうために消費されるトナー量を間接的に検知するトナー消費量検知手段として機能することになる。そして、このトナー消費量検知手段としての制御部７０の検知結果に基いて、廃トナー回収容器３０における搬送部材４１の動作がおこなわれることになるが、これについては後で詳しく説明する。
なお、トナー消費量検知手段として、感光体ドラム１１（像担持体）上で画像形成をおこなうために消費されるトナー量を直接的に検知するもの（例えば、トナー容器２８の重量変動からトナー補給量を直接的に検知する手段である。）を用いることもできる。
【００４５】
以下、本実施の形態において特徴的な、廃トナー回収容器３０の構成・動作について詳述する。
図３〜図５を参照して、廃トナー回収容器３０は、主として、クリーニング部９、１５から排出された廃トナーが流入される廃トナー流入部３２と、廃トナーを貯留する廃トナー貯留部３１と、で構成されている。
廃トナー貯留部３１は、奥行方向（図３、図４（Ｂ）の左右方向であって、図１の紙面垂直方向である。）に延在するように形成された略直方体の箱状部であって、その内部に板状の搬送部材４１（板状部材）が設置されている。
廃トナー流入部３２（廃トナー排出部）は、廃トナー貯留部３１の奥行方向（水平方向）の一端側（図３の左側である。）の上方に突設された略直方体の箱状部であって、廃トナー貯留部３１との境界の全面が開口となっている。また、図４（Ａ）、図５を参照して、廃トナー流入部３２には、クリーニング部９、１５から排出された廃トナーが流入される流入口３２ａＹ、３２ａＭ、３２ａＣ、３２ａＢＫ、３２ａＴが５つ形成されている（図３では、「３２ａ」に付する符号を省略している。）。さらに、廃トナー貯留部３１と廃トナー流入部３２との境界近傍には、廃トナー回収容器３０内に堆積された廃トナーが所定高さに達したことを検知する廃トナー満杯検知部としての満杯検知センサ５５が設置されている。
そして、このように構成された廃トナー回収容器３０に、４つのプロセスカートリッジ１０Ｙ、１０Ｍ、１０Ｃ、１０ＢＫの各クリーニング部１５から排出された未転写トナーと、中間転写ベルトクリーニング部９から排出された未転写トナーと、がそれぞれ廃トナーとして回収されることになる。そして、廃トナー貯留部３１に大量の廃トナーが収容されて、さらに廃トナー流入部３２のスペースにさらに付加的に廃トナーが収容されることになる。
【００４６】
図５を参照して、廃トナー流入部３２において、幅方向（奥行方向に直交する方向であって、図５の左右方向である。）の最右方に形成された流入口３２ａＢＫは、黒色用プロセスカートリッジ１０ＢＫのクリーニング部１５で回収された未転写トナーを廃トナーとして廃トナー流入部３２内に流入するためのものであって、黒色用のクリーニング部１５に接続された搬送管１６の先端部が流入口３２ａＢＫから挿入された状態で、搬送管１６の排出口１６ａ（図３を参照できる。）から廃トナー流入部３２を介して廃トナー貯留部３１に向けてトナーが排出される。
また、廃トナー流入部３２において、幅方向（図５の左右方向である。）の右から２番目に形成された流入口３２ａＣは、シアン用プロセスカートリッジ１０Ｃのクリーニング部１５で回収された未転写トナーを廃トナーとして廃トナー流入部３２内に流入するためのものであって、シアン用のクリーニング部１５に接続された搬送管１６の先端部が流入口３２ａＣから挿入された状態で、搬送管１６の排出口１６ａ（図３を参照できる。）から廃トナー流入部３２を介して廃トナー貯留部３１に向けてトナーが排出される。
また、廃トナー流入部３２において、幅方向（図５の左右方向である。）の右から３番目に形成された流入口３２ａＭは、マゼンタ用プロセスカートリッジ１０Ｍのクリーニング部１５で回収された未転写トナーを廃トナーとして廃トナー流入部３２内に流入するためのものであって、マゼンタ用のクリーニング部１５に接続された搬送管１６の先端部が流入口３２ａＭから挿入された状態で、搬送管１６の排出口１６ａ（図３を参照できる。）から廃トナー流入部３２を介して廃トナー貯留部３１に向けてトナーが排出される。
また、廃トナー流入部３２において、幅方向（図５の左右方向である。）の右から４番目に形成された流入口３２ａＹは、イエロー用プロセスカートリッジ１０Ｙのクリーニング部１５で回収された未転写トナーを廃トナーとして廃トナー流入部３２内に流入するためのものであって、イエロー用のクリーニング部１５に接続された搬送管１６の先端部が流入口３２ａＹから挿入された状態で、搬送管１６の排出口１６ａ（図３を参照できる。）から廃トナー流入部３２を介して廃トナー貯留部３１に向けてトナーが排出される。
また、廃トナー流入部３２において、幅方向（図５の左右方向である。）の最左方に形成された流入口３２ａＴは、中間転写ベルトクリーニング部９で回収された未転写トナーを廃トナーとして廃トナー流入部３２内に流入するためのものであって、中間転写ベルトクリーニング部９に接続された搬送管１６の先端部が流入口３２ａＴから挿入された状態で、搬送管１６の排出口１６ａ（図３を参照できる。）から廃トナー流入部３２を介して廃トナー貯留部３１に向けてトナーが排出される。
【００４７】
そして、５つの流入口３２ａＹ、３２ａＭ、３２ａＣ、３２ａＢＫ、３２ａＴ（排出口１６ａ）から流入された廃トナー（未転写トナー）は、その下方に自重落下して廃トナー貯留部３１（廃トナー流入部３２の下方の位置である。）に堆積される。そして、その位置に堆積された廃トナーは、幅方向に延在して廃トナー貯留部３１内の底面と両側面とに近接するように形成された板状の搬送部材４１の奥行方向の往復移動によって、奥行方向の他端側（図３の右側である。）に押し込まれるように順次搬送される（図６（Ａ）〜（Ｄ）を参照できる）。そして、廃トナー貯留部３１内の全体にわたって廃トナーが回収（充填）されると（又は、それに近い状態になると）、その状態が満杯検知センサ５５（廃トナー満杯検知部）によって検知されて、制御部７０によって廃トナー回収容器３０への廃トナーの搬送が停止されるとともに、その状態が装置本体１の表示部（不図示である。）に報知される。そして、その状態を認知したユーザー（又は、サービスマン）は、満杯になった廃トナー回収容器３０の交換メンテナンスをおこなうことになる。
【００４８】
なお、廃トナー回収容器３０は、装置本体１の本体カバー（不図示である。）を開放して、図３の左方（図１の紙面手前側である。）に移動することで装置本体１から取出することができる。そして、新品（空）の廃トナー回収容器３０が、本体カバーが開放された状態の装置本体１に対して、図３の右方（図１の紙面垂直方向の奥側である。）に移動することで装着される。
ここで、本実施の形態における廃トナー回収容器３０は、廃トナー回収容器３０のメンテナンスサイクルを長期化するために、作像部１０Ｙ、１０Ｍ、１０Ｃ、１０ＢＫや書込み部６や中間転写ベルト１７（中間転写ベルトユニット）等の機能部を除くスペースを最大限に利用して大容量化されている。
また、本実施の形態では、満杯検知センサ５５として、圧電センサを用いている。すなわち、満杯検知センサ５５（圧電センサ）の位置（高さ）まで廃トナーが堆積されると、その廃トナーによる圧力を満杯検知センサ５５（圧電センサ）が検知して、廃トナー回収容器３０が廃トナーで満杯状態（又は、それに近い状態）にあることを認知する。
【００４９】
このように、廃トナー貯留部３１には、その奥行方向（水平方向）の一端側の上方に形成された流入口３２ａＹ、３２ａＭ、３２ａＣ、３２ａＢＫ、３２ａＴ（排出口１６ａ）から流入されて、それらの下方に廃トナーＴが堆積されることになる。そして、このように廃トナー貯留部３１において流入口３２ａＹ、３２ａＭ、３２ａＣ、３２ａＢＫ、３２ａＴ（排出口１６ａ）の下方に堆積された廃トナーＴは、奥行方向（水平方向）の一端側から他端側に向けて移動（図３の左側から右側への移動である。）する搬送部材４１によって所定のタイミングで順次搬送されることになる。
【００５０】
ここで、搬送部材４１は、幅方向（奥行方向に直交する方向であって、図３の紙面垂直方向である。）に延在して廃トナー貯留部３１内の底面と両側面とに近接するように形成された板状部材であって、奥行方向に対して往復移動（図３の白矢印方向の移動である。）するように駆動される。
詳しくは、トナー貯留部３１には、トナー貯留部３１の幅方向中央部において奥行方向に延設されて駆動モータ４４によって回転駆動される送りネジ４３と、搬送部材４１の回転方向の姿勢を保持するためのガイド部材３１ａと、が設置されている。図５を参照して、搬送部材４１には雌ネジ部４１ａが形成されていて、この雌ネジ部４１ａに送りネジ４３が螺合することになる。さらに、搬送部材４１の幅方向両端部にはそれぞれ突起部４１ｂ（軸部）が形成されていて、これらの突起部４１ｂがトナー貯留部３１の幅方向両端部において奥行方向に延在するようにそれぞれ設けられたガイド部材３１ａ（溝部）に係合することになる。なお、送りネジ４３を回転駆動する駆動モータ４４は、正逆方向のそれぞれに回転可能な駆動モータである。
【００５１】
そして、駆動モータ４４によって送りネジ４３が正方向に回転駆動されると、ガイド部材３１ａによって搬送部材４１が回転することなく、ガイド部材３１ａに案内されながら、搬送部材４１が奥行方向の一端側から他端側へ移動することになる（図３の左側から右側への移動である。）。これに対して、駆動モータ４４によって送りネジ４３が逆方向に回転駆動されると、ガイド部材３１ａによって搬送部材４１が回転することなく、ガイド部材３１ａに案内されながら、搬送部材４１が奥行方向の他端側から一端側へ移動することになる（図３の右側から左側への移動である。）。
なお、図６（Ａ）〜（Ｄ）は、このような搬送部材４１の奥行方向の往復移動によって廃トナー貯留部３１内に廃トナーＴが奥行方向奥側（他端側）から満遍なく押し込まれて貯留されていく過程を示す図である。
【００５２】
このような構成により、奥行方向に延在する大容量の廃トナー回収容器３０（廃トナー貯留部３１）内に廃トナーＴを全体的に満遍なく回収することができる。特に、本実施の形態では、搬送部材４１を往復移動させるための移動手段として、比較的コンパクトで廃トナー回収容器３０（廃トナー貯留部３１）内において大きな設置スペースを必要としない送りネジ４３を用いているために、廃トナー回収容器３０（廃トナー貯留部３１）の内部のスペースを有効的に活用することができる（省スペース化が可能になる。）。
【００５３】
ここで、搬送部材４１は、廃トナー貯留部３１内の底面に近接する部分が可撓性材料で形成されている。具体的に、図５等を参照して、搬送部材４１は、板金等の比較的剛性の高い材料で形成された搬送部材本体の下端に、マイラー等の可撓性材料からなる可撓性部材４２が両面テープや接着剤等によって貼着されている。
これにより、搬送部材４１の奥行方向の往復動作にともない、その下端部（可撓性部材４２）を廃トナー貯溜部３１の底面に隙間なく摺接させることができるため、搬送部材４１や廃トナー貯溜部３１にダメージを与えることなく、廃トナーの搬送性を高めることができる。
なお、本実施の形態では、搬送部材４１の下端部に可撓性部材４２を設置したが、搬送部材４１の幅方向両端部にも可撓性部材を設置することができる。すなわち、搬送部材４１において廃トナー貯留部３１内の両側面に近接する部分を可撓性材料で形成することもできる。そして、そのような場合には、搬送部材４１の奥行方向の往復動作にともない、その両端部（可撓性部材）を廃トナー貯溜部３１の両側面に隙間なく摺接させることができるため、搬送部材４１や廃トナー貯溜部３１にダメージを与えることなく、廃トナーの搬送性を高めることができる。
【００５４】
また、図３等を参照して、搬送部材４１は、その下端部が奥行方向の他端側（図３の右側である。）に向けて傾斜して突出するように形成されている。すなわち、搬送部材４１は、下端部が奥行方向他端側に向けて「く」の字状に屈曲している。
これにより、搬送部材４１の奥行方向の往復動作にともない、搬送部材４によって廃トナー貯溜部３１の底面に堆積した廃トナーＴを掻き出すように奥行方向他端側に向けて搬送することができるため、廃トナーの搬送性を高めることができる。
【００５５】
ここで、本実施の形態では、搬送部材４１は、常時往復移動をしているのではなく、通常時にはホームポジション（図３、図６（Ａ）、（Ｃ）の位置である。）で停止・待機した状態であって、流入口３２ａＹ、３２ａＭ、３２ａＣ、３２ａＢＫ、３２ａＴ（排出口１６ａ）の下方の位置に廃トナーがある程度堆積された後に所定のタイミングでその廃トナーを奥行方向他端側に搬送するように制御される。
このような制御をおこなうことで、搬送部材４１の移動に関わる各部品（送りネジ４３、駆動モータ４４、搬送部材４１等である。）の機械的寿命を長くすることができるとともに、装置全体の消費電力や騒音を少なくすることができる。
さらに、搬送部材４１の移動は比較的低速でおこなわれるために、廃トナー貯溜部３１内で廃トナーが舞い上がってしまう不具合はほとんど生じない。
【００５６】
また、搬送部材４１は、感光体ドラム１１や中間転写ベルト１７の表面上で画像形成がおこなわれていないときにのみ駆動される。すなわち、作像プロセスが実行されているとき（画像形成時）には駆動モータ４４による搬送部材４１の駆動（移動）はおこなわずに、非画像形成時に駆動モータ４４による搬送部材４１の駆動（移動）をおこなう。
このような制御をおこなうことで、搬送部材４１の移動にともない生じる振動が作像部にまで伝播して、感光体ドラム１１や中間転写ベルト１７の表面上に形成される画像が乱れてしまう不具合（バンディング）を未然に抑止することができる。
【００５７】
なお、本実施の形態では、廃トナー貯溜部３１の奥行方向一端側にある程度の量の廃トナーが堆積した状態を、感光体ドラム１１（像担持体）上で画像形成をおこなうために消費されるトナー量を間接的に検知するトナー消費量検知手段としての制御部７０（演算部）によって判断する。そして、トナー消費量検知手段としての制御部７０の検知結果が所定値を超えるごと（トナー消費量又はトナー補給量が所定量に達するごと）に、奥行方向の一端側（ホームポジション）から他端側に向けて移動するように搬送部材４１が駆動制御される。
これは、トナー消費量（又はトナー補給量）と、クリーニング部９、１５から廃トナー回収容器３０に向けて搬送される廃トナー量と、には相関関係があるためである。そして、上述した制御をおこなうことで、廃トナー貯溜部３１の奥行方向一端側に堆積する廃トナーの量がある程度適量に達するごとに、搬送部材４１のホームポジションからの移動によってその廃トナーが奥行方向他端側に向けてまとめて搬送されることになる（押し込まれることになる）。
【００５８】
また、本実施の形態では、搬送部材４１を駆動するときに搬送部材４１にかかる負荷を間接的に検知する負荷検知手段としてのトルク検知センサ７１が設置されている。このトルク検知センサ７２（負荷検知手段）は、駆動モータ４４に流れる電流値から搬送部材４１を移動するための駆動トルクを検知するものであって、搬送部材４１にかかる負荷の大きさに応じてその電流値が増減することになる。
そして、搬送部材４１が奥行方向の一端側から他端側に向けて移動している場合に、トルク検知センサ７２（負荷検知手段）によって検知された電流（負荷）が所定値以上になったときに、廃トナー貯溜部３１の奥行方向他端側において押し込まれた廃トナーによってそれ以上他端側に移動することができないものとして（図６（Ｄ）を参照できる。）、その後に搬送部材４１が奥行方向の他端側から一端側（ホームポジション）に向けて移動するように駆動制御される（駆動モータ４４が逆方向に回転する。）。
このような制御をおこなうことで、搬送部材４１の移動に関わる各部品（送りネジ４３、駆動モータ４４、搬送部材４１等である。）にダメージを与えることなく、廃トナー貯溜部３１の奥行方向の最も他端側から効率的に廃トナーを順次押し込んでいくことができる。
なお、本実施の形態では、トルク検知センサ７１を用いて、搬送部材４１を駆動するときに搬送部材４１にかかる負荷を間接的に検知した。これに対して、搬送部材４１を駆動するときに搬送部材４１にかかる負荷を直接的に検知する負荷検知手段（例えば、搬送部材４１の面上に設けた力覚センサである。）を用いて、同様の制御をおこなうこともできる。
【００５９】
このように、本実施の形態では、非画像形成時において、搬送部材４１のホームポジション近傍において所定量以上の廃トナーが堆積している状態が制御部７０（トナー消費量検知手段）によって検知されると、搬送部材４１の奥行方向他端側への移動が開始される。そして、廃トナーが奥行方向他端側に充分に押し込まれた状態がトルク検知センサ７１（負荷検知手段）によって検知されると、搬送部材４１がホームポジション（奥行方向一端側）に戻されて、その後に画像形成本体１における画像形成動作がおこなわれることになる。
なお、本実施の形態では、搬送部材４１のホームポジション近傍において所定量以上の廃トナーが堆積している状態を、制御部７０（トナー消費量検知手段）によって検知したが、ホームポジション近傍に圧電センサを設置してその状態を直接的に検知することもできる。
【００６０】
なお、本実施の形態において、図７（Ａ）〜（Ｃ）に示すように、搬送部材４１を、上方（又は下方）からみたときに幅方向両端部が奥行方向の他端側に向けて突出するように凹状に形成することもできる。なお、図７（Ａ）〜（Ｃ）において、白矢印方向が廃トナーを搬送する方向（奥行方向他端側）である。
図７（Ａ）、（Ｂ）に示すように、搬送部材４１の幅方向両端部に突出部（破線で囲んだ部分である。）を設けることで、搬送部材４１と廃トナー貯溜部３１の両側面との隙間から廃トナーがすり抜けにくくなるため、搬送部材４１による廃トナーの搬送性が高められることになる。
さらに、図７（Ｃ）に示すように、搬送部材４１において奥行方向他端側に対向する面を曲面状に形成した場合には、幅方向両端部にある廃トナーが搬送部材４１の曲面によって幅方向中央部に移動されることになるため、搬送部材４１と廃トナー貯溜部３１の両側面との隙間から廃トナーがさらにすり抜けにくくなり、搬送部材４１による廃トナーの搬送性がさらに高められることになる。
【００６１】
なお、本実施の形態では、送りネジ４３によって往復移動される搬送部材４１が送りネジ４３とともに回転しないように、搬送部材４１の幅方向両端部に突起部４１ｂを形成して、廃トナー貯溜部３１の両側面に溝状のガイド部材３１ａを形成した。
これに対して、図８に示すように、送りネジ４３によって往復移動される搬送部材４１が送りネジ４３とともに回転しないように、搬送部材４１に円形穴部を形成して、その円形穴部に係合するシャフト４７を廃トナー貯溜部３１の奥行方向に延在するように橋設することもできる。
【００６２】
また、本実施の形態では、廃トナー回収容器３０に、廃トナー貯溜部３１の上方に起立する廃トナー流入部３２を設けた。
これに対して、図９に示すように、廃トナー回収容器３０に、廃トナー流入部３２を設けずに、奥行方向に延在する箱状の廃トナー貯溜部３１のみで廃トナー回収容器３０の主部を形成することもできる。その場合、廃トナー貯溜部３１の奥行方向一端側の上方に流入口３２ａ（排出口１６ａ）が直接的に形成され、本実施の形態のものと同様に搬送部材４１とそれを駆動する送りネジ４３、駆動モータ４４等が設置されることになる。このような廃トナー回収容器３０に対しても、本発明を適用することができて、本実施の形態のものと同様の効果を得ることができる。
【００６３】
以上説明したように、本実施の形態によれば、廃トナー貯留部３１の内部において流入口３２ａＹ、３２ａＭ、３２ａＣ、３２ａＢＫ、３２ａＴから流入されて堆積された廃トナーを奥行方向の一端側から他端側に向けて搬送する板状の搬送部材４１を、奥行方向に往復移動させているため、大容量の廃トナー回収容器３０内に廃トナーを全体的に満遍なく回収することができる。
【００６４】
なお、本実施の形態では、作像部における各部（感光体ドラム１１、帯電部１２、現像部１３、クリーニング部１５である。）を一体化してプロセスカートリッジ１０Ｙ、１０Ｍ、１０Ｃ、１０ＢＫを構成して、作像部のコンパクト化とメンテナンス作業性の向上とを図っている。これに対して、感光体ドラム１１、帯電部１２、現像部１３、クリーニング部１５の一部又は全部をプロセスカートリッジの構成部材とせずに、単体で装置本体１に交換自在に設置されるように構成することもできる。そして、このような場合にも、本実施の形態と同様の効果を得ることができる。
また、本実施の形態では、２成分現像剤を用いる２成分現像方式の現像部１３が搭載された画像形成装置に対して本発明を適用したが、１成分現像剤を用いる１成分現像方式の現像部１３が搭載された画像形成装置に対しても当然に本発明を適用することができる。
【００６５】
また、本実施の形態では、廃トナー流入部３２に５つの流入口３２ａＹ、３２ａＭ、３２ａＣ、３２ａＢＫ、３２ａＴが形成された廃トナー回収容器３０に対して、本発明を適用した。これに対して、廃トナー流入部３２に流入口が４つ以下又は６つ以上形成された廃トナー回収容器３０に対しても、当然に本発明を適用することができる。そして、このような場合にも、本実施の形態と同様の効果を得ることができる。
【００６６】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００６７】
１  画像形成装置本体（装置本体）、
９  中間転写ベルトクリーニング部（クリーニング部）、
１０Ｙ、１０Ｍ、１０Ｃ、１０ＢＫ  プロセスカートリッジ（作像部）、
１１  感光体ドラム（像担持体）、
１５  クリーニング部、
１７  中間転写ベルト（像担持体）、
３０  廃トナー回収容器、
３１  廃トナー貯留部、
３１ａ  ガイド部材、
３２  廃トナー流入部、
３２ａ、３２ａＹ、３２ａＭ、３２ａＣ、３２ａＢＫ、３２ａＴ  流入口、
４１  搬送部材（板状部材）、
４１ａ  雌ネジ部、
４２  可撓性部材、
４３  送りネジ、
４４  駆動モータ。
【先行技術文献】
【特許文献】
【００６８】
【特許文献１】特開２０１０−７９１８６号公報
【図１】
0005818057.tif 000002
【図２】
0005818057.tif 000003
【図３】
0005818057.tif 000004
【図４】
0005818057.tif 000005
【図５】
0005818057.tif 000006
【図６】
0005818057.tif 000007
【図７】
0005818057.tif 000008
【図８】
0005818057.tif 000009
【図９】
0005818057.tif 000010